(57)【要約】  本明細書に記載されている実施形態は、無線通信における接続状態の無線セッションの転送に関する。源アクセスネットワーク制御装置は、（例えば、アクセス端末と関係付けられたハンドオフ状態を検出することに応答して）アクセス端末と関係付けられた源無線セッションをロックし得る。ここで、源アクセスネットワーク制御装置は、データネットワークと通信し得る。さらに加えて、源アクセスネットワーク制御装置は、源無線セッションに対応する目標無線セッションを生成し、データネットワークとアクセスネットワークとの間における目標ＡＮＣを経由する通信ルートを設定するように、目標アクセスネットワーク制御装置に命令し得る。次に、源アクセスネットワーク制御装置は、源無線セッションと関係付けられた状態をフリーズし、フリーズされた状態を目標アクセスネットワーク制御装置へ送信し得る。次に、目標アクセスネットワーク制御装置は、受信した状態をアンフリーズし、さらに、無線セッションをアンロックし、アクセス端末の制御を再開し得る。【選択図】    図５ａ
2008502217.tif 000002
【特許請求の範囲】
【請求項１】
無線通信のための方法であって、
データネットワークと通信している源アクセスネットワーク制御装置おいてアクセス端末と関係付けられた源無線セッションをロックすることと、
源無線セッションに対応する目標無線セッションを生成するように、目標アクセスネットワーク制御装置に命令することと、
データネットワークとアクセス端末との間における目標アクセスネットワーク制御装置を経由する通信ルートを設定するように、目標アクセスネットワーク制御装置に命令することと、
源無線セッションと関係付けられた状態を目標アクセスネットワーク制御装置へ転送することとを含む方法。
【請求項２】
源無線セッションと関係付けられた状態をフリーズすることと、フリーズされた状態を目標アクセスネットワーク制御装置に送信することとをさらに含む請求項１記載の方法。
【請求項３】
データネットワークとアクセス端末との間における目標アクセスネットワーク制御装置を経由する通信ルートに関係して、プロトコルを設定するように、アクセス端末に命令することをさらに含む請求項１記載の方法。
【請求項４】
プロトコルが、無線リンクプロトコルを含む請求項３記載の方法。
【請求項５】
通信ルートが、順方向リンクルートおよび逆方向リンクルートを含む請求項１記載の方法。
【請求項６】
アクセス端末のアクティブな組の中の各アクセス ネットワーク トランシーバとの通信を設定するように、目標アクセスネットワーク制御装置に命令することをさらに含む請求項１記載の方法。
【請求項７】
状態を転送した後に、データネットワークとアクセス端末との間における源アクセスネットワーク制御装置を経由する通信ルートを取り去ることをさらに含む請求項１記載の方法。
【請求項８】
状態を転送した後に、源無線セッションを削除することをさらに含む請求項１記載の方法。
【請求項９】
目標アクセスネットワーク制御装置から通知を受信した後で、源アクセスネットワーク制御装置においてアクセス端末と関係付けられたユニキャストアクセス端末識別子を再び割り当てることをさらに含む請求項１記載の方法。
【請求項１０】
源無線セッションをロックすることが、アクセス端末と関係付けられたハンドオフ状態を検出することに応答することである請求項１記載の方法。
【請求項１１】
無線通信のための方法であって、
目標アクセスネットワーク制御装置おいてアクセス端末と関係付けられた無線セッションであって、源アクセスネットワーク制御装置における源無線セッションに対応する無線セッションを生成することと、
データネットワークとアクセス端末との間における目標アクセスネットワーク制御装置を経由する通信ルートを設定することと、
源アクセスネットワーク制御装置から、源無線セッションと関係付けられた状態を受信することとを含む方法。
【請求項１２】
受信状態をアンフリーズすることをさらに含む請求項１１記載の方法。
【請求項１３】
無線セッションをアンロックすることをさらに含む請求項１１記載の方法。
【請求項１４】
無線セッションをアンロックすることを、ＡＴに知らせることをさらに含む請求項１３記載の方法。
【請求項１５】
目標アクセスネットワーク制御装置においてユニキャストアクセス端末識別子をアクセス端末に割り当てることをさらに含む請求項１１記載の方法。
【請求項１６】
通信ルートが、順方向リンクルートおよび逆方向リンクルートを含む請求項１１記載の方法。
【請求項１７】
アクセス端末のアクティブな組の中の各アクセス ネットワーク トランシーバとの通信を設定することをさらに含む請求項１１記載の方法。
【請求項１８】
無線通信のための方法であって、
第１の優先順位を受信し、第１のアクセスネットワーク制御装置からのアクセス端末と関係付けられた複数のデータパケットに割り当てることと、
第２の優先順位を受信し、第２のアクセスネットワーク制御装置からのアクセス端末と関係付けられた複数のデータパケットに割り当てることと、
第２の優先順位をもつデータパケットをアクセス端末へ送る前に、第１の優先順位をもつデータパケットをアクセス端末へ送ることとを含む方法。
【請求項１９】
第１のアクセスネットワーク制御装置が、源アクセスネットワーク制御装置であり、第２のアクセスネットワーク制御装置が、目標アクセスネットワーク制御装置である請求項１８記載の方法。
【請求項２０】
無線通信に適応した装置であって、
データネットワークと通信している源アクセスネットワーク制御装置おいてアクセス端末と関係付けられた源無線セッションをロックし、
源無線セッションに対応する目標無線セッションを生成するように、目標アクセスネットワーク制御装置に命令し、
データネットワークとアクセス端末との間における目標アクセスネットワーク制御装置を経由する通信ルートを設定するように、目標アクセスネットワーク制御装置に命令し、
源無線セッションと関係付けられた状態を目標アクセスネットワーク制御装置へ転送するように構成されたプロセッサを含む装置。
【請求項２１】
プロセッサが、源無線セッションと関係付けられた状態をフリーズし、フリーズされた状態を目標アクセスネットワーク制御装置に送信するようにも構成されている請求項２０記載の装置。
【請求項２２】
プロセッサが、データネットワークとアクセス端末との間における目標アクセスネットワーク制御装置を経由する通信ルートと関係して、プロトコルを設定するように、アクセス端末に命令するようにも構成されている請求項２０記載の装置。
【請求項２３】
プロトコルが、無線リンクプロトコルを含む請求項２２記載の装置。
【請求項２４】
プロセッサが、アクセス端末のアクティブな組の中の各アクセス ネットワーク トランシーバとの通信を設定するように、目標アクセスネットワーク制御装置に命令するようにも構成されている請求項２０記載の装置。
【請求項２５】
無線通信に適応した装置であって、
目標アクセスネットワーク制御装置おいてアクセス端末と関係付けられた無線セッションであって、源アクセスネットワーク制御装置における源無線セッションに対応する無線セッションを生成し、
アクセス端末とデータネットワークとの間における目標アクセスネットワーク制御装置を経由する通信ルートを設定し、
源アクセスネットワーク制御装置から源無線セッションと関係付けられた状態を受信するように構成されたプロセッサを含む装置。
【請求項２６】
プロセッサが、受信状態をアンフリーズするようにも構成されている請求項２５記載の装置。
【請求項２７】
プロセッサが、アクセス端末と関係付けられた無線セッションをアンロックするようにも構成されている請求項２５記載の装置。
【請求項２８】
プロセッサが、アクセス端末のアクティブな組の中の各アクセス ネットワーク トランシーバとの通信を設定するようにも構成されている請求項２５記載の装置。
【請求項２９】
無線通信に適応した装置であって、
データネットワークと通信している源アクセスネットワーク制御装置おいてアクセス端末と関係付けられた源無線セッションをロックするように構成されたセッション ロッキング ユニットと、
源無線セッションに対応する目標無線セッションを生成し、データネットワークとアクセス端末との間における目標アクセスネットワーク制御装置を経由する通信ルートを設定するように、目標アクセスネットワーク制御装置に命令するように構成された命令ユニットと、
源無線セッションと関係付けられた状態を目標アクセスネットワーク制御装置へ転送するように構成された状態転送ユニットとを含む装置。
【請求項３０】
状態転送ユニットが、
源無線セッションと関係付けられた状態をフリーズするように構成された状態フリージングユニットと、
フリーズされた状態を目標アクセスネットワーク制御装置へ送信するように構成された状態送信ユニットとをさらに含む請求項２９記載の装置。
【請求項３１】
命令ユニットが、アクセス端末のアクティブな組の中の各アクセス ネットワーク トランシーバとの通信を設定するように、目標アクセスネットワーク制御装置に命令するようにも構成されている請求項２９記載の装置。
【請求項３２】
セッション ロッキング ユニット、命令ユニット、および状態転送ユニットと通信している処理ユニットをさらに含む請求項２９記載の装置。
【請求項３３】
処理ユニットと通信しているメモリユニットをさらに含む請求項３２記載の装置。
【請求項３４】
無線通信に適応した装置であって、
目標アクセスネットワーク制御装置おいてアクセス端末と関係付けられた無線セッションであって、源アクセスネットワーク制御装置における源無線セッションに対応する無線セッションを生成するように構成されたセッション生成ユニットと、
アクセス端末とデータネットワークとの間における目標アクセスネットワーク制御装置を経由する通信ルートを設定するように構成されたルート追加ユニットと、
源アクセスネットワーク制御装置から、源無線セッションと関係付けられた状態を受信するように構成された状態受信ユニットとを含む装置。
【請求項３５】
状態受信ユニットが、受信状態をアンフリーズするように構成された状態アンフリージングユニットをさらに含む請求項３４記載の装置。
【請求項３６】
アクセス端末と関係付けられた無線セッションをアンロックするように構成されたセッション アンロッキング ユニットをさらに含む請求項３４記載の装置。
【請求項３７】
ルート追加ユニットが、アクセス端末のアクティブな組の中の各アクセス ネットワーク トランシーバとの通信を設定するようにも構成されている請求項３４記載の装置。
【請求項３８】
セッション生成ユニット、ルート追加ユニット、および状態受信ユニットと通信している処理ユニットをさらに含む請求項３４記載の装置。
【請求項３９】
処理ユニットと通信しているメモリユニットをさらに含む請求項３８記載の装置。
【請求項４０】
無線通信に適応した装置であって、
データネットワークと通信している源アクセスネットワーク制御装置おいてアクセス端末と関係付けられた源無線セッションをロックする手段と、
源無線セッションに対応する目標無線セッションを生成するように、目標アクセスネットワーク制御装置に命令する手段と、
データネットワークとアクセス端末との間における目標アクセスネットワーク制御装置を経由する通信ルートを設定するように、目標アクセスネットワーク制御装置に命令する手段と、
源無線セッションと関係付けられた状態を目標アクセスネットワーク制御装置へ転送する手段とを含む装置。
【請求項４１】
源無線セッションと関係付けられた状態をフリーズする手段と、フリーズした状態を目標アクセスネットワーク制御装置へ送信する手段とをさらに含む請求項４０記載の装置。
【請求項４２】
命令する手段が、アクセス端末のアクティブな組の中の各アクセス ネットワーク トランシーバとの通信を設定するように、目標アクセスネットワーク制御装置に命令することをさらに含む請求項４０記載の装置。
【請求項４３】
無線通信に適応した装置であって、
目標アクセスネットワーク制御装置おいてアクセス端末と関係付けられた無線セッションであって、源アクセスネットワーク制御装置における源無線セッションに対応する無線セッションを生成する手段と、
アクセス端末とデータネットワークとの間における目標アクセスネットワーク制御装置を経由する通信ルートを設定する手段と、
源アクセスネットワーク制御装置から源無線セッションと関係付けられた状態を受信する手段とを含む装置。
【請求項４４】
受信状態をアンフリーズする手段をさらに含む請求項４３記載の装置。
【請求項４５】
アクセス端末と関係付けられた無線セッションをアンロックする手段をさらに含む請求項４３記載の装置。
【請求項４６】
設定する手段が、アクセス端末のアクティブな組の中の各アクセス ネットワーク トランシーバとの通信を設定することをさらに含む請求項４３記載の装置。
【発明の詳細な説明】
【技術分野】
【０００１】
米国特許法１１９条のもとでの優先権の主張
本特許出願は、２００４年６月１日に出願された仮特許出願第６０／５７６，１９４号（“RADIO NETWORK CONTROLLER HAND OFF”）、２００４年１２月９日に出願された仮特許出願第６０／６３５，０４１号（“RADIO NETWORK CONTROLLER HANDOFF”）、および２００５年２月４日に出願された仮特許出願第６０／６５０，３３４号（“RADIO NETWORK CONTROLLER HANDOFF”）に対して優先権を主張しており、これらの全ては、本発明の譲受人に譲渡され、それによって本明細書において参照によって明示的に取り入れられている。
【０００２】
分野
本開示は、概ね、無線通信に関する。より具体的には、本明細書に開示されている実施形態は、無線通信における接続状態の無線セッションの転送に関する。
【背景技術】
【０００３】
無線通信システムは、種々のタイプの通信(例えば、音声、データ、等)を多数のユーザに与えるために広く展開されている。そのようなシステムは、符号分割多元接続(code division multiple access, CDMA)、時分割多元接続(time division multiple access, TDMA)、周波数分割多元接続(frequency division multiple access, FDMA)、または他の多元接続技術に基づき得る。ＣＤＭＡシステムは、増加したシステム容量を含む幾つかの望ましい特徴を示す。ＣＤＭＡシステムは、ＩＳ−９５、ｃｄｍａ２０００、ＩＳ−８５６、Ｗ−ＣＤＭＡ、ＴＤ−ＳＣＤＭＡ、および他の標準のような、１つ以上の標準を実施するように設計され得る。
【発明の開示】
【発明が解決しようとする課題】
【０００４】
無線通信システムは、様々なサービスを高データレートで、増加しているユーザに提供するように努力しているので、課題は、サービス品質を維持し、ネットワーク効率を向上するところにある。
【発明を実施するための最良の形態】
【０００５】
本明細書に開示されている実施形態は、アクセス端末が接続状態である一方で、アクセス端末の制御を１つのアクセスネットワークから別のアクセスネットワークへ転送する方法およびシステムに関する。
【０００６】
図１は、無線通信システム100を示す。例えば、種々のアクセス端末（access terminal, AT）110、例えば、ＡＴ110aないし110eは、システム全体に分散している。ＡＴ110は、所与の瞬間に、順方向リンクまたは逆方向リンク、あるいはこの両者上で、１つ以上のアクセス ネットワーク トランシーバ(access network transceiver, ANT)120、例えば、ＡＮＴ120aないし120dと通信し得る。１つ以上のアクセスネットワーク制御装置(access network controller, ANC)130、例えば、ＡＮＣ130aおよび130bは、ＡＮＴ120と通信し、その調整および制御を与える役割を果たし得る。ＡＮＣ130は、パケットデータ供給ノード(packet data serving node, PDSN)140を経由して、パケット データ ネットワークのようなデータネットワークとも通信し得る。１つの実施形態において、システム100は、１つ以上の標準、例えば、ＩＳ−９５、ｃｄｍａ２０００、ＩＳ−８５６、Ｗ−ＣＤＭＡ、ＴＤ−ＳＣＤＭＡ、何か他のスペクトラム拡散標準、またはその組合せを支援するように構成され得る。これらの標準は、当技術において知られている。
【０００７】
本明細書に記載されているように、ＡＮＣは、コアネットワーク(例えば、図１のＰＤＳＮ140を経由するパケット データ ネットワーク)とインターフェースし、ＡＴとコアネットワークとの間においてデータパケットをルーティングし、種々の無線アクセスおよびリンク保守機能(例えば、ソフトハンドオフ)を行い、無線送信機および受信機(例えば、図１のＡＮＴ120)を制御する、等を行うように構成された通信システムの一部を指し得る。ＡＮＣは、第２または第３世代無線ネットワークに見られるような、基地局制御装置(base station controller, BSC)の機能を含むか、または実施するか、あるいはこの両者を行い得る。ＡＮＴは、基地局トランシーバシステム(base-station transceiver system, BTS)、アクセスポイント(access point, AP)、モデム プール トランシーバ(modem pool transceiver, MPT)、または(例えば、Ｗ−ＣＤＭＡタイプのシステムにおいて)ノードＢとも呼ばれ得る。ＡＮＣおよび１つ以上のＡＮＴが、アクセスネットワーク(access network, AN)の一部を構成し得る。システム100において、例えば、ＡＮＣ130aおよびＡＮＴ120a、120bは、ＡＮ150aの一部であり、ＡＮＣ130bおよびＡＮＴ120c、12Odは、ＡＮ150bの一部であり得る。
【０００８】
“ＰＤＳＮ”という用語は、本明細書において明示的に使用されているが、データパケットが流れて出る、または入るコア(または、データ)ネットワークを表すと解釈される。本明細書に記載されているデータパケットは、(例えば、インターネットプロトコル(Internet Protocol, IP)のようなプロトコルによって指定されている)種々のコンテンツ、例えば、(例えば、ＩＳ−８５６タイプのシステムにおける)音声、オーディオ、ビデオ、および他の情報コンテンツをカプセル化し得る。
【０００９】
本明細書に記載されているＡＴは、種々のタイプのデバイス、例えば、ワイヤード電話、ワイヤレス電話、セルラ電話、ラップトップコンピュータ、無線通信パーソナルコンピュータ(personal computer, PC)カード、パーソナルディジタルアシスタント(personal digital assistant, PDA)、外部または内部モデム、等を指し得る(しかしながら、これらに制限されない)。ＡＴは、ワイヤレスチャネル、または(例えば、光ファイバまたは同軸ケーブルによる)ワイヤードチャネルを通って通信する任意のデータデバイスであり得る。ＡＴは、アクセスユニット、加入者ユニット、移動局、移動デバイス、移動ユニット、移動電話、移動体、遠隔局、遠隔端末、遠隔ユニット、ユーザデバイス、ユーザ装置、ハンドヘルドデバイス、等のような、種々の名前をもち得る。様々なＡＴが、システムに取り入れられ得る。アクセス端末は、移動型であっても、静止型であってもよく、通信システム全体に分散され得る。ＡＴは、所与の瞬間において、順方向リンクまたは逆方向リンク、あるいはこの両者上で、１つ以上のＡＮＴと通信し得る。順方向リンク(またはダウンリンク)は、ＡＮＴ(または、ＡＮ)からＡＴへの送信を指す。逆方向リンク(またはアップリンク)は、ＡＴからＡＮＴ(または、ＡＮ)への送信を指す。
【００１０】
１つ以上のＡＮＴとトラヒックチャネル接続を設定した(したがって、音声／データを送信または受信、あるいはこの両者を行う準備ができている)ＡＴは、接続状態であると言われる。ソフトハンドオフは、複数のＡＮＴが、ＡＴの逆方向リンクの送信電力を制御し、ＡＴからの逆方向リンク信号を復号し得るプロセスである(このようなＡＮＴは、ＡＴのアクティブな組の中にあると言われる)。ＡＴは、そのアクティブな組の中の少なくとも１つのＡＮＴからの順方向リンク信号を復号し得る。ＡＴは、例えば、別のＡＮＴが使用可能になり、既存のものと少なくとも同等の(例えば、そのパイロット信号強度によって示される)チャネル品質を与えるとき、ソフトハンドオフに入り得る。ソフトハンドオフは、ＡＴが、１つのＡＮＴの受信可能範囲領域から出て、別のＡＮＴの受信可能範囲領域へ入るとき、データパケット／呼が落とされないことを保証し、したがって、“中断前実行（make-before-break）”プロセスである。対照的に、ハードハンドオフは、“実行前中断（break-before-make）”プロセスであり、ＡＴは、ＡＴのアクティブな組の中に以前になかった１つ以上のＡＮＴと新しい接続を実行する前に、ＡＴのアクティブな組の中のＡＮＴとの接続を中断する。“供給セクタ（serving sector）”は、ＡＴがデータ通信のために選択するＡＴのアクティブな組の中のＡＮＴを指し得る。
【００１１】
本明細書において“無線セッション(radio session)”という用語は、ＡＴとＡＮＣ(または、ＡＮ)との間における共有状態を指し得る。共有状態は、ＡＴとＡＮＣとの間における通信のためにネゴシエートされ、それに使用されるプロトコルおよび構成（configuration）を記憶する。(さらに詳しくは、例えば、“第３世代パートナーシッププロジェクト２（3rd Generation Partnership Project 2）”というコンソーシアムによって公布された文献（“cdma2000 High Rate Packet Data Air Interface Specification,” 3GPP2 C.S0024-A, Version 1, March 2004）を参照すべきである。)
本明細書において“源ＡＮＣ（source ANC）”は、無線セッションの転送前に、ＡＴと関係付けられた無線セッションの管理制御を保持し、与えるＡＮＣを指し得る。無線セッションは、シグナリングメッセージに使用される自動反復要求(automatic repeat request, ARQ)プロトコル(例えば、ＩＳ−８５６におけるシグナリング リンク プロトコル（signaling link protocol, SLP）)も含み得る。“目標ＡＮＣ（target ANC）”は、源ＡＮＣが、ＡＴと関係付けられた無線セッション(したがって、その制御)を転送するＡＮＣを指し得る。“接続状態の無線セッションの転送（connected-state radio session transfer）”は、接続状態のＡＴと関係付けられた無線セッションの転送を指し得る。
【００１２】
システム100内のＡＴ110cを検討する。ここで、ＡＴ110cは、ＡＮ150aによってサービスされている受信可能範囲領域から出て、ＡＮ150bによってサービスされている受信可能範囲領域へ入ろうとしているところであり、一方で接続状態である(例えば、ＡＮＴ120bおよびＡＮＣ130aを経由してＰＤＳＮ140とデータ通信中である)。このような遷移は、ハードハンドオフ、またはソフトハンドオフ方式で行われ得る。ハードハンドオフの状況では、ＡＴ110cは、例えば、ＡＮＴ120c(したがって、ＡＮＣ130bおよびＰＤＳＮ140)との新しい接続を行う前に、ＡＮＴ120b(したがって、ＡＮＣ130aおよびＰＤＳＮ140)との接続を完全に中断する。ソフトハンドオフの状況では、ＡＴ110cは、遷移中に、ＡＮＴ120bおよびＡＮＴ120cと通信し得るが、ＡＮＣ130aが、ＡＴ110cと関係付けられた無線セッションを保持し、したがって、データパケットをＡＴ110cへ、およびＡＴ110cからルーティングする間、ＰＤＳＮ140とＡＮＴとの間におけるインターフェースとしての役割を果たし続ける。ハンドオフが完了し、ＡＴ110cがＡＮ150a内の何れのＡＮＴとも最早通信しなくなった後でさえ(すなわち、その状況が維持できなくなるまで、例えば、ＡＮＣ130aが、ＡＴ110cと通信するために、ＡＮＴを最早十分に制御できなくなるとき)、このようなことが当てはまるであろう。
【００１３】
上述のハードハンドオフの遷移は、とくに、接続状態にあるＡＴに110cに中断（disruptive）をもたらすので、望ましくない。上述のソフトハンドオフの遷移も非効率的であり、(ＡＴが源ＡＮＣから遠くに離れると)結局、維持できない。したがって、サービス品質を保証し、ネットワーク効率を向上する無線セッションの転送が必要とされる。
【００１４】
本明細書に開示されている実施形態は、無線通信における接続状態の無線セッションの転送を与える方法およびシステムに関する。
【００１５】
１つの実施形態において、無線通信における接続状態の無線セッションの転送のための方法であって、データネットワークと通信している源ＡＮＣにおいてＡＴと関係付けられた源無線セッションをロックすることと、源無線セッションに対応する目標無線セッションを生成するように、目標ＡＮＣに命令することと、データネットワークとＡＴとの間における目標ＡＮＣを経由する通信ルートを設定するように、目標ＡＮＣに命令することと、源無線セッションと関係付けられた状態を目標ＡＮＣへ転送することとを含む方法が与えられる。状態を転送することは、源無線セッションと関係付けられた状態を(例えば、そのスナップショットをとって、その何か別の動作を保持することによって)フリーズすることと、フリーズされた状態を目標ＡＮＣに送信することとを含み得る。次に、目標のＡＮＣは、受信状態をアンフリーズし、さらに加えて、無線セッションをアンロックし、それによって（例えば、別の無線セッションの転送の必要が生じるまで）ＡＴの制御を再開し得る。無線セッションの転送後に、源ＡＮＣは、データネットワークとＡＴとの間における源ＡＮＣを経由する通信ルートを取り去り得る。これは、ＡＴと関係付けられた源無線セッションも削除し得る。
【００１６】
種々の態様、実施形態、および特徴が、さらに詳しく別途記載される。
【００１７】
図２ａないし２ｄは、無線通信システムにおける接続状態の無線セッションの転送の実施形態200を示し、ここで、一連の模式図は、説明を補足するために示されている。分かり易く、かつ単純にするために、これらの図には、１つのＡＮＴが明示的に示されている。別途さらに詳しく記載されるように(例えば、図５ａないし５ｃ参照)、ここに示されている一般的な手続きは、複数のＡＮＴと通信しているＡＴにかかわる接続状態の無線セッションの転送にも応用可能である。
【００１８】
図２ａにおいて、ＡＴ210は、接続状態であり、ＡＮＴ220および源ＡＮＣ230aによって、順方向リンクルート250および逆方向リンクルート255を経由してサービスされる。源ＡＮＣ230aは、ＰＤＳＮ240を経由して、(明示的に示されていない)データネットワークと通信し得る。ＡＴ210の状況は、源ＡＮＣ230aが、ＡＴ210と関係付けられた無線セッション(本明細書では、“源無線セッション”と呼ばれる)、したがってその制御を、目標ＡＮＣ230bへ転送することを決めるようなものであり得る。(さらに詳しく別途記載されるように、１つの実施形態において、例えば、源ＡＮＣ230aは、ＡＴ210と関係付けられたハンドオフ状態を検出し得る)。このような無線セッション／制御転送は、本明細書において“ＡＮＣハンドオフ”と呼ばれ得る。
【００１９】
図２ｂは、最初に、源ＡＮＣ230aが、ＡＴ210と関係付けられた源無線セッションをロックすることによって、無線セッションの転送を開始し得ることを示している。本明細書において“ロックすること（locking）”という用語は、無線セッションをネゴシエート不可能にすることを含み得る。１つの実施形態において、例えば、これは、（例えば、ＡＴ210によって）進行中の無線セッションの構成または属性、あるいはこの両者が更新されることを許可するが、新しい無線セッションの構成または属性、あるいはこの両者が開始されることを禁止することを含む。ＡＴ210と接続した順方向リンクルートまたは逆方向リンクルート、あるいはこの両者上のデータフローのためのプロトコル(例えば、無線リンクプロトコル(radio link protocol, RLP))は、無線セッションの転送中に働き続け、ＡＴ210が接続状態であることを維持する。無線セッションをロックすることは、源ＡＮＣ230aと目標ＡＮＣ230bとの間における無線セッションの変更を連続的に同期させる必要を無くす。さらに加えて、源ＡＮＣ230aは源無線セッションのロッキングを、ＡＴ210に知らせ得る。
【００２０】
図２ｂに示されているように、源ＡＮＣ230aは、源無線セッションのロッキングに加えて、ＡＴ210の源無線セッションに対応する無線セッション(本明細書では、“目標無線セッション”と呼ばれる)を行うように、目標ＡＮＣ230bに命令し得る。１つの実施形態において、源ＡＮＣ230aは、例えば、源無線セッションと関係付けられた基礎となるプロトコルを目標ＡＮＣ230bに知らせ、目標ＡＮＣ230bは、このようなプロトコルに基づいて、目標無線セッションを生成し得る。さらに加えて、源ＡＮＣ230aは、ＡＴ210とＰＤＳＮ240との間における目標ＡＮＣ230bを経由する新しい通信ルート、例えば、順方向リンクルート260および逆方向リンクルート265を設定するように、目標ＡＮＣ230bに命令し得る。これに役立つように、源ＡＮＣ230aは、新しい通信ルートのためのプロトコル(例えば、無線リンクプロトコル(ＲＬＰ))を設定するように、ＡＴ210に命令し得る。目標ＡＮＣ230bも、新しい通信ルートのためのプロトコル(例えば、ＲＬＰ)を設定するように、ＡＮＴ220(または、ＡＴ210のアクティブな組の中の各ＡＮＴ)に命令し得る。１つの実施形態において、例えば、新しいリンク層のルートが、目標ＡＮＣ230bを経由して設定され、ＡＴ210とＰＤＳＮ240との間に、源ＡＮＣ230bを経由する既存のリンク層のルートを維持する一方で、新しい通信ルートを与え得る。(各リンク層のルートは、例えば、別々のネットワーク層のヘッダ圧縮およびＲＬＰインスタンスをもつ、別々のリンクインターフェースであり得る)。その結果、ＡＴ210は、図２ｂに示されているように、ＰＤＳＮ240との２本の通信ルート、すなわち、源ＡＮＣ230aを経由する一方の通信ルートと、目標のＡＮＣ230bを経由する他方の通信ルートとをもつ。(幾つかの実施形態では、目標ＡＮＣ230bがＰＤＳＮ240とその順方向リンク接続を設定することに連係して、源ＡＮＣ230aは、図２ｂにおいて源ＡＮＣ230aとＰＤＳＮ240との間の順方向リンクルート250の部分の除去によって示されているように、ＡＴ210のためのＰＤＳＮ240とのその順方向リンク接続を取り去るか、またはデアクティブにし得ることに注意すべきである。)
次に、図２ｃに示されているように、源ＡＮＣ230aは、源無線セッションと関係付けられた状態を目標ＡＮＣ230bへ、したがってＡＴ210の制御を転送し得る。１つの実施形態において、源ＡＮＣ230aは、源無線セッションと関係付けられた状態をフリーズし(例えば、そのスナップショットをとり、その何か別の動作を保持し)、“フリーズされた”状態を目標ＡＮＣ230bへ送信し得る。状態を受信すると、目標ＡＮＣ230bは、それをアンフリーズし、さらに、図２ｄに示されているように、ＡＴ210と関係付けられた無線セッションをアンロックし得る。さらに加えて、目標230bは、無線セッションのアンロッキングをＡＴに知らせ得る。その結果、ＡＴ210は、現在、ＡＮＣ230bの単独の制御のもとにある(ＡＮＣ230bは、別の無線セッションの転送の必要が生じたとき、“源”ＡＮＣとしての役割を果たし得る)。
【００２１】
図２ｄは、無線セッションの転送後に、源ＡＮＣ230aが、ＡＴ210のためのＰＤＳＮとのその逆方向リンク接続を取り去り(または、デアクティブにし)得ることも示している。源230aは、ＡＴ210と関係付けられた源無線セッションも削除し得る。ＡＴ210も、源ＡＮＣ230aと接続されたその順方向リンクルートおよび逆方向リンクルートを取り去り（または、デアクティブにし）得る。実施形態において、例えば、このルートにおける、ＲＬＰ送信および再送緩衝器内の残りの待ち行列が空にされると、ＡＴ210とＰＤＳＮ240との間における源ＡＮＣ230aを経由するリンク層のルートが取り去られ得る。
【００２２】
幾つかの実施形態において、ＡＴ210と関係付けられた無線セッションを転送した後で、目標ＡＮＴ230bは、新しいユニキャストアクセス端末識別子(unicast access terminal identifier, UATI)をＡＴ210に割り当てて、ＡＴ210から、新しいＵＡＴＩの受信に関する確認を受信する。また、源ＡＮＣ230aは、最後に、ＡＴ210と関係付けられた古いＵＡＴＩを再び割り当て得る。しかしながら、源ＡＮＣ230aが古いＵＡＴＩを再び割り当てて、一方でＡＴ210がそれをまだ使用しているという状況を回避するために、源ＡＴＣ230aは、ＡＴ210が、古いＵＡＴＩを最早リッスン（listen）しないか、またはその送信された信号を形成するのに、古いＵＡＴＩを最早使用しないということを、目標ＡＮＣ230bによって通知されるまで、古いＵＡＴＩを保持すべきである。
【００２３】
上述の図２ａないし２ｄに示されているように、無線セッションの転送中に、ＡＴ210の各リンクフロー(例えば、順方向リンクまたは逆方向リンク)上には、２本のルートがある。ＡＴ210(または、ＡＮＴ220)において設定された２組のプロトコル(例えば、ＲＬＰ)と関係して、一方のルートは、源ＡＮＣ230aを経由し、他方のルートは、目標ＡＮＣ230bを経由する。言い換えると、ＡＴ210とＰＤＳＮ240との間における目標ＡＮＣ230bを経由する別の通信ルート(例えば、新しいリンク層のルート)を加え、一方で源ＡＮＣ230aを経由する元の通信ルートを維持することによって、データは、無線セッションの転送プロセスの間ずっと、ＡＴ210とＰＤＳＮ240との間を流れ続け得る。
【００２４】
図３は、接続状態の無線セッションの転送中におけるリンクの流れ図300の実施形態を示している。順方向リンク350上では、源ＡＮＣ330aは、ルートＡを経由して、データパケット(例えば、ＲＬＰパケット)およびシグナリングメッセージをＡＴ310へ送信し、目標ＡＮＣ330bは、ルートＢを経由して、データパケット(例えば、ＲＬＰパケット)およびシグナリングメッセージをＡＴ310へ送信する。同様に、逆方向リンク355上では、ＡＴ310は、データパケット(例えば、ＲＬＰパケット)およびシグナリングメッセージを、ルートＡおよびルートＢを経由して、源ＡＮＣ330aおよび目標ＡＮＣ330bへそれぞれ送信し得る。
【００２５】
図４は、プロトコルアーキテクチャ400の実施形態を示しており、これは、例えば、ＡＮＣにおいて、（既に記載した）接続状態の無線セッションの転送を支援するために実施され得る。プロトコルアーキテクチャ400は、フロープロトコル410、ルート識別プロトコル420、次にルートプロトコルＡ430aおよびルートプロトコルＢ430b、さらにその次に、それぞれルート−Ａ ＲＬＰ440aおよびルート−Ｂ ＲＬＰ440bを含み得る。フロープロトコル410は、インターネットプロトコル(Internet Protocol, IP)またはポイント ツウ ポイントプロトコル（Point-to-Point Protocol, PPP）を含むことができ、データをカプセル化し、ＰＤＳＮとＡＴの間において移送するように構成されている。ルート識別プロトコル420は、より高い層のパケットを、リンクフローのルートＡまたはルートＢへルーティングするように構成され得る。ルートプロトコルＡまたはＢは、ヘッダ圧縮のような、種々の義務を行うように構成された、より高い層のプロトコルを含み得る。
【００２６】
図５ａは、無線通信システムにおける接続状態の無線セッションの転送の別の実施形態500を示している。例示的に、ＡＴ510は、最初に、順方向リンクルート550および逆方向リンクルート555を経由して、“源”ＡＮＴ520aおよび源ＡＮＣ530aと通信し得る。源ＡＮＣ530aは、ＰＤＳＮ540を経由して、(明示的に示されていない)データネットワークと通信し得る。次に、ＡＴ510は、ソフトハンドオフに入り、例えば、源ＡＮＴ520aおよび“目標”ＡＮＴ520b(両者は、ＡＴ510のアクティブな組である)と通信し得る。ＡＮＴ520bは、目標ＡＮＣ530bと通信していて、その制御のもとにあり、したがってＡＴ510のハンドオフに関係して、源530aと目標ＡＮＣ530bとの間に無線セッションの転送の必要がある。この場合に、無線セッションの転送は、別途さらに記載されるように、図２ないし４に関係して既に記載されたやり方に似たやり方で行われ得る。
【００２７】
図５ａの実施形態において、源ＡＮＣ530aは、目標ＡＮＴ520bと、例えば、順方向リンクルート570および逆方向リンクルート575を含む通信ルートを設定し得る。さらに加えて、源ＡＮＣ530aは、源ＡＮＴ520aと、順方向リンクルート580および逆方向リンクルート585を含む通信ルートを設定するように、目標ＡＮＣ530bに命令し得る。言い換えると、両者のＡＮＣは、無線セッションの転送中に、ＡＴ510のアクティブな組の中の全てのＡＮＴと通信し得る。図５ａは、順方向リンクルート560および逆方向リンクルート565を含む別の(または、新しい)通信ルートが、ＡＴ510とＰＤＳＮ540との間において目標ＡＮＣ530bを経由して設定され得ることも示している。１つの実施形態では、既に記載されたように、例えば、新しいリンク層のルートが、目標ＡＮＣ530bを経由して設定され、ＡＴ510とＰＤＳＮ540との間に新しい通信ルートを与え得る一方で、ＡＴ510とＰＤＳＮ540との間における源ＡＮＣ530aを経由する既存のリンク層のルートを維持し得る。(図２ｂまたは２ｃの場合におけるように、目標ＡＮＣ530bがＰＤＳＮ540とその順方向リンク接続を設定するのに連係して、源ＡＮＣ530aは、ＰＤＳＮ540とのその順方向リンク接続を取り去り得る。)
図５ｂおよび５ｃは、図５ａの実施形態の実施を示し、ここで、図５ｂは、順方向リンクにおける実施形態500Aを示し、図５ｃは、逆方向リンクにおける実施形態500Bを示している。図５ａないし５ｃにおいて、同様の要素は、同様の参照番号によって表示されている。例示的に、ＰＤＳＮ540とＡＴ510との間における源ＡＮＣ520aおよび目標ＡＮＣ520bを経由する通信ルートは、２本の別々のリンク層のルートによってそれぞれ与えられ得る。源ＡＮＣ530aおよび目標ＡＮＣ530bの各々は、自身のＲＬＰインスタンスをもち得る(例えば、源ＡＮＣ530aはＲＬＰ−Ａと関係付けられ、目標ＡＮＣ530bはＲＬＰ−Ｂと関係付けられている)。ＡＴ510は、例えば、ＲＬＰ−ＡおよびＲＬＰ−Ｂの両者をもち得る。（１つの実施形態において、ＡＴ510は、源ＡＮＣ530aによって命令されると、ＲＬＰ−Ｂを設定し得る。ＡＴ510は、ＲＬＰ−Ｂをアクティブにし、ＲＬＰ−Ｂのパケットを受信したときか、または目標ＡＮＣ530bによって命令されたときに、ＲＬＰ−Ｂパケットを逆方向リンク上で送り始め得る）。さらに加えて、目標ＡＮＴ520bは、ＡＴ510のための供給セクタとして選択され得る。
【００２８】
図５ｂに示されている順方向リンク上では、例えば、目標ＡＮＣ530bが、ＡＴ510のためにＰＤＳＮ540とその順方向リンク接続を設定すると、ＰＤＳＮ540からのデータフローは、目標ＡＮＣ530bから源ＡＮＣ530aへ切り換えられ得る。１つの実施形態では、源ＡＮＣ530aおよび目標ＡＮＣ530bは、データパケット(例えば、それぞれ、ＲＬＰ−ＡパケットおよびＲＬＰ−Ｂパケット)を供給セクタ(例えば、目標ＡＮＴ520b)のみへ送り得る。次に、供給セクタは、受信したデータパケットを、それぞれのＲＬＰインスタンスによって、ＡＴ510へ送り得る。説明のために、想像線572は、源ＡＮＣ530aからのＲＬＰ−Ａパケットが、目標ＡＮＴ520bからＡＴ510へどのようにルーティングされ得るかを示している。
【００２９】
図５ｃに示されている逆方向リンク上では、ＡＴ510は、データパケット(例えば、ＲＬＰ−ＡパケットおよびＲＬＰ−Ｂパケット)を源ＡＮＴ520aおよび目標ＡＮＴ520bへ(例えば、それぞれのＲＬＰインスタンスによって)送り得る。説明のために、矢線555および557は、ＡＴ510からのＲＬＰ−Ａパケットが源ＡＮＴ520aおよび目標ＡＮＴ520bへどのようにそれぞれルーティングされ得るかを示している。同様に、矢線565、567は、ＡＴ510からのＲＬＰ−Ｂパケットが目標ＡＮＴ520bおよび源ＡＮＴ520aへどのようにそれぞれルーティングされ得るかを示している。次に、各ＡＮＴは、ＡＴ510から受信したデータパケットを、源ＡＮＣ530aおよび目標ＡＮＣ530bの両者へ送り得る。源ＡＮＣ530aは、ＲＬＰ−ＡパケットをＰＤＳＮ540へ送り、ＲＬＰ−Ｂパケットを捨て得る。目標ＡＮＣ530bは、ＲＬＰ−ＢパケットをＰＤＳＮ540へ送り、ＲＬＰ−Ａパケットを捨て得る。
【００３０】
源ＡＮＣ530aは、無線セッションの転送中に、シグナリングメッセージを処理することを担当し得る。１つの実施形態において、源ＡＮＣ530aは、例えば、全てのシグナリングメッセージのヘッダを処理し、ＲＬＰ−Ｂのシグナリングメッセージを目標ＡＮＣ530bへ送り得る。さらに加えて、源ＡＮＣ530aは、シグナリングプロトコル(例えば、ＳＬＰ)のヘッダを、目標ＡＮＣ530bから受信したシグナリングメッセージに加え、それらを順方向リンク上で（例えば、供給セクタ）へ送信し得る。さらに、源ＡＮＣ530aは、更新された無線セッション状態情報レコード(session state information record, SSIR)または他の無線セッションの構成／属性の更新、あるいはこの両者を、目標ＡＮＣ530bへ送り得る。目標ＡＮＣ530bは、シグナリングメッセージを順方向リンク上で源ＡＮＣ530aへ送り得る。さらに加えて、目標ＡＮＣ530bは、全てのシグナリングメッセージを緩衝し得る(例えば、これは、転送制御後に処理される)。目標ＡＮＣ530bは、源ＡＮＣ530aから受信した情報に基づいて、それ自身の供給セクタ／アクティブな組の更新も行い得る。(目標ＡＮＣがＡＴ510と関係付けられた無線セッションの制御を得た後で、源ＡＮＣ530aおよび目標ＡＮＣ530bは、それらの担当を逆にする。)
上述において、源ＡＮＣ530aおよび目標ＡＮＣ530bの両者が、ＲＬＰパケットを供給セクタ(または、ＡＴ510のアクティブな組の中の各ＡＮＴ)へ送るといった状況があり得る。(例えば、ＰＤＳＮ540からのデータパケットが、目標ＡＮＣ530bへルーティングされるときでさえ、源ＡＮＣ530aは、それでもなお、幾つかのデータパケットを再送する必要があり得る)。各ＡＮＣからのデータパケットは、各ＡＮＴ(または、供給セクタ)内のスケジューラの待ち行列において待ち行列に入れられ得る。源ルートを通る遅延は、目標ルートを通る遅延とは異なり得るので、１つの順番においてＰＤＳＮ540から出たデータパケットは、ＡＴ510に異なる順番で到達し得る。このような“順番の乱れた”伝送を回避するために、各ＡＮＴは、“結合中断（tie-breaking）”の特長を源ＡＮＣ530aに与え得る。１つの実施形態において、例えば、各ＡＮＴは、第１の優先順位を受信し、源ＡＮＣ530aからのデータパケットに割り当て、第２の優先順位を受信し、目標ＡＮＣ530bからのデータパケットに割り当て得る。第１の優先順位は、第２の優先順位よりも高く、したがって、各ＡＮＴは、第２の優先順位をもつデータパケットを送る前に、第１の優先順位をもつパケットをＡＴ510に送る。
【００３１】
図５ａ、または図５ｂおよび５ｃの実施形態において、(明示的に示されていない)１つ以上の新しいＡＮＴが、無線セッションの転送中に、ＡＴ510のアクティブな組に加えられる必要があるといった状況があり得る。例えば、ＡＴ510は、強いパイロット信号をもつ新しいＡＮＴを、ＡＮＣ530aに報告し得る。その中の幾つかは、目標ＡＮＣ530bの制御のもとにあり、他のものは、源ＡＮＣ530aに制御のもとにあり得る。１つの実施形態において、源ＡＮＣ53Oaは、目標ＡＮＣ530bの制御のもとにあるＡＮＴとの通信を設定し得る。さらに加えて、源ＡＮＣ530aは、源ＡＮＣ530aの制御のもとにあるＡＮＴとの通信を設定するように、目標ＡＮＣ530bに命令し得る。残りの手続きは、既に記載されたやり方に似たやり方で行われ得る。
【００３２】
(明示的に示されていない)１つ以上のＡＮＴは、無線セッションの転送中に、ＡＴ510のアクティブな組から取り去られることもある。例えば、ＡＴ510は、劣化したパイロット信号をもつ１つ以上のＡＮＴを、源ＡＮＣ530aに報告し得る。その中の幾つかは、目標ＡＮＣ530bの制御のもとにあり、他のものは、源ＡＮＣ530aの制御のもとにあり得る。源ＡＮＣ530aは、源ＡＮＣ530aの制御のもとにあって、取り去られるＡＮＴを、目標ＡＮＣ530bに知らせ得る。それにしたがって、目標ＡＮＣ530bは、そのようなＡＮＴとの接続を取り去り得る。源ＡＮＣ530aは、目標ＡＮＣ530bの制御のもとにあるＡＮＴも取り去り得る。
【００３３】
本明細書に開示されている(例えば、図２ないし５において既に記載された)実施形態は、無線通信システムにおける接続状態の無線セッションの転送の幾つかの実施形態を与えている。他の実施形態および実施がある。
【００３４】
図６は、プロセス600の流れ図を示しており、これは、接続状態の無線セッションの転送を与える１つの実施形態において使用され得る。ステップ610では、源ＡＮＣにおいてＡＴと関係付けられた源無線セッションをロックする。ここで、源ＡＮＣは、(例えば、ＰＤＳＮを経由して)データネットワークと通信している。ステップ620では、源無線セッションに対応する目標無線セッションを生成するように、目標ＡＮＣに命令する。ステップ630では、データネットワークとＡＴとの間における目標ＡＮＣを経由する(例えば、順方向リンクルートおよび逆方向リンクルートを含む)通信ルートを設定するように、目標ＡＮＣに命令する。ステップ640では、源無線セッションと関係付けられた状態を、目標ＡＮＣへ転送する。１つの実施形態において、ステップ640は、源無線セッションと関係付けられた状態をフリーズすること（例えば、そのスナップショットをとって、その何か他の動作を保持すること)と、フリーズされた状態を目標ＡＮＣへ送信することとを含み得る。
【００３５】
プロセス600は、データネットワークとＡＴとの間における目標ＡＮＣを経由する通信ルートに関係して、プロトコルを設定するように、ＡＴに命令することも含み得る。１つの実施形態において、プロトコルは、ＲＬＰを含み得る。プロセス600は、ＡＴのアクティブな組の中の各ＡＮＴとの通信を設定するように、目標ＡＮＣに命令することも含み得る。さらに加えて、プロセス600は、ＡＴのアクティブな組の中の少なくとも１つのＡＮＴとの通信を設定することを含み得る。幾つかの実施形態において、プロセス600は、源ＡＮＣとＡＴとの間における通信ルートを取り去ること、または状態を転送した後に、ＡＴと関係付けられた源無線セッションを削除すること、あるいはこの両者も含み得る。
【００３６】
図７は、プロセス700の流れ図を示しており、これは、接続状態の無線セッションの転送を行う別の実施形態において使用され得る。ステップ710では、目標ＡＮＣにおいてＡＴと関係付けられた無線セッション、すなわち、源ＡＮＣにおける源無線セッションに対応する無線セッションを生成する。ステップ720では、データネットワークとＡＴとの間における目標ＡＮＣを経由する(例えば、順方向リンクルートおよび逆方向リンクルートを含む)通信ルートを設定する。ステップ720は、ＡＴのアクティブな組の中の各ＡＮＴとの通信を設定することも含み得る。ステップ730では、源ＡＮＣから源無線セッションと関係付けられた状態を受信する。１つの実施形態において、ステップ730は、受信状態をアンフリーズすることも含み得る。ステップ740では、ＡＴと関係付けられた無線セッションをアンロックする。プロセス700は、無線セッションのアンロッキングをＡＴに知らせることも含み得る。
【００３７】
図８は、装置800のブロック図を示しており、これは、（既に記載されたような）幾つかの開示された実施形態を実施するのに使用され得る。例示的に、装置800は、源ＡＮＣにおいてＡＴと関係付けられた源無線セッションをロックするように構成されたセッション ロッキンング ユニット(または、モジュール)810、源無線セッションに対応する目標無線セッションを生成し、(例えば、ＰＤＳＮを経由する)データネットワークとＡＴとの間における目標ＡＮＣを経由する通信ルートを設定するように、目標ＡＮＣに命令するように構成された命令ユニット820、および源無線セッションと関係付けられた状態を、目標ＡＮＣへ転送するように構成された状態転送ユニット830を含む。１つの実施形態において、状態転送ユニット830は、源無線セッションと関係付けられた状態をフリーズする(例えば、そのスナップショットをとり、その何か別の動作を保持する)ように構成された状態フリージングユニット840と、フリーズされた状態を目標ＡＮＣへ送信するように構成された状態送信ユニット850とをさらに含む。幾つかの実施形態において、命令ユニット820は、ＡＴのアクティブな組の中の各ＡＮＴとの通信を設定するように、目標ＡＮＣに命令するようにも構成され得る。
【００３８】
装置800において、セッション ロッキング ユニット810、命令ユニット820、および状態転送ユニット830は、通信バス880に結合され得る。処理ユニット860およびメモリユニット870も、通信バス880に結合され得る。処理ユニットは、種々のユニットの動作を制御または調整、あるいはこの両者を行うように構成され得る。メモリユニット870は、処理ユニット860によって実行される命令を取り入れ得る。
【００３９】
図９は、装置900のブロック図を示しており、これも、（既に記載されたような）幾つかの開示された実施形態を実施するのに使用され得る。例示的に、装置900は、源ＡＮＣにおける源無線セッションに対応する、ＡＴと関係付けられた無線セッションを生成するように構成されたセッション生成ユニット910、(例えば、ＰＤＳＮを経由する)データネットワークとＡＴとの間における目標ＡＮＣを経由する通信ルートを設定するように構成されたルート追加（または、設定）ユニット920、源ＡＮＣから源無線セッションと関係付けられた状態を受信するように構成された状態受信ユニット930、およびＡＴと関係付けられた無線セッションをアンロックするように構成されたセッション アンロキング ユニット940を含み得る。１つの実施形態において、状態受信ユニット930は、受信状態をアンフリーズするように構成された状態アンフリージングユニット950も含み得る。幾つかの実施形態において、ルート追加ユニット920は、ＡＴのアクティブな組の中の各ＡＮＴとの通信を設定するようにも構成され得る。
【００４０】
装置900において、セッション生成ユニット910、ルート追加ユニット920、状態受信ユニット930、状態アンフリージングユニット940、およびセッション アンロキング ユニット950は、通信バス980に結合され得る。処理ユニット960およびメモリユニット970も、通信バス980に結合され得る。処理ユニットは、種々のユニットの動作を制御または調整、あるいはこの両者を行うように構成され得る。メモリユニット970は、処理ユニット960によって実行される命令を取り入れ得る。
【００４１】
図１０は、装置1000のブロック図を示しており、この中で、（既に記載されたような）幾つかの開示された実施形態が実施され得る。例示的に、装置1000は、１本以上のアンテナ1010、受信機−送信機ユニット1020、および受信機−送信機ユニット1020と通信するプロセッサ1030を含む。装置1000は、プロセッサ1030と通信するメモリ1040も含み得る。（単純にするため、および説明のために、２本のアンテナ1010が明示的に示されている。システム内には任意の数のアンテナがあり得る。各アンテナ1010は、受信および送信をすることができるか、または別々の受信機および送信機アンテナとしての役割を果たし得る。）
装置1000において、受信機−送信機ユニット1020は、アンテナ1010において受信された信号に対して、(例えば、ＲＦからベースバンドへの)ダウンコンバージョン、復調、復号、符号化、さらに加えて、変調、(例えば、ベースバンドからＲＦへの)アップコンバーション、等のような、種々の希望の機能を行うように構成され得る。プロセッサ1030は、別途記載されるように、種々の機能／ステップを行うように構成され得る。メモリ1040は、幾つかの機能を行うプロセッサ1030によって実行される命令を取り入れ得る。
【００４２】
幾つかの実施形態において、プロセッサ1030は、図８のセッション ロッキング ユニット810、命令ユニット820、および状態転送ユニット830(これは、状態フリージングユニット840、および状態送信ユニット850も含み得る)の機能を組み込む、または実施する、あるいはこの両者を行うように構成され得る。
【００４３】
他の実施形態において、プロセッサ1030は、図９のセッション生成ユニット910、ルート追加ユニット920、状態受信ユニット930(これは、状態アンフリージングユニット950も含み得る)、セッション アンロッキング ユニット940の機能を組み込む、または実施する、あるいはこの両者を行うように構成され得る。
【００４４】
図８ないし１０の種々のユニット／モジュールおよび他の実施形態は、ハードウェア、ソフトウェア、またはその組合せにおいて実施され得る。ハードウェアの実施では、種々のユニットは、１つ以上の特定用途向け集積回路（application specific integrated circuit, ASIC）、ディジタル信号プロセッサ（digital signal processor, DSP）、ディジタル信号処理デバイス（digital signal processing device, DSPD）、フィールド プログラマブル ゲート アレイ（field programmable gate array, FPGA）、プロセッサ、マイクロプロセッサ、制御装置、マイクロ制御装置、プログラマブル論理デバイス（programmable logic devices, PLD）、他の電子ユニット、またはその組合せの中で実施され得る。ソフトウェアの実施では、種々のユニットは、本明細書に記載されている機能を行うモジュール(例えば、手続き、機能、等)で実施され得る。ソフトウェアコードは、メモリユニット(例えば、メモリ1040)に記憶され、プロセッサ(例えば、プロセッサ1030)によって実行され得る。メモリユニットは、プロセッサ内に構成されても、またはプロセッサの外部に構成されてもよく、その場合は、当技術において知られている種々の手段を介して、プロセッサに通信上で接続されることができる。
【００４５】
種々の開示された実施形態は、ＡＮＣ、ＡＮ、および他の無線通信システムにおいて実施され、接続状態の無線セッションの転送を与え得る。
【００４６】
当業者には、情報および信号が、種々の異なる技術および技法の何れかを使用して表わされ得ることが分かるであろう。例えば、上述全体で参照され得るデータ、命令、コマンド、情報、信号、ビット、シンボル、およびチップは、電圧、電流、電磁波、磁界または磁性粒子、光学場または光学粒子、あるいはその任意の組合せによって表わされ得る。
【００４７】
当業者は、本明細書に開示されている実施形態に関連して記載されている種々の例示的な論理ブロック、モジュール、回路、およびアルゴリズムのステップが、電子ハードウェア、コンピュータソフトウェア、または両者の組合せとして実施され得ることも分かるであろう。ハードウェアとソフトウェアとのこの互換性を明白に示すために、種々の例示的な構成要素、ブロック、モジュール、回路、およびステップが、それらの機能性に関して、上述で概ね記載された。このような機能性がハードウェアとして実施されるか、またはソフトウェアとして実施されるかは、システム全体に課された個々の用途および設計の制約に依存する。熟練した技能をもつ者は、各個々の用途のために種々のやり方で記載された機能性を実施し得るが、そのような実施の決定は、本発明の範囲からの逸脱を招くものとして解釈されるべきではない。
【００４８】
本明細書において開示された実施形態に関連して記載された種々の例示的な論理ブロック、モジュール、および回路は、汎用プロセッサ、ディジタル信号プロセッサ（digital signal processor, DSP）、特定用途向け集積回路（application specific integrated circuit, ASIC）、フィールド プログラマブル ゲート アレイ（field programmable gate array, FPGA）または他のプログラマブル論理デバイス、ディスクリートなゲートまたはトランジスタ論理、ディスクリートなハードウェア構成要素、あるいは本明細書に記載されている機能を行うように設計された組合せで実施または実行され得る。汎用プロセッサは、マイクロプロセッサであってもよいが、その代わりに、プロセッサは、従来のプロセッサ、制御装置、マイクロ制御装置、または状態機械であってもよい。プロセッサは、コンピューティング デバイスの組合せ、例えば、ＤＳＰとマイクロプロセッサとの組合せ、複数のマイクロプロセッサ、ＤＳＰのコアと関連した１つ以上のマイクロプロセッサ、または何か他のこのような構成としても実施され得る。
【００４９】
本明細書に開示されている実施形態に関連して記載された方法またはアルゴリズムのステップは、ハードウェアにおいて、プロセッサによって実行されるソフトウェアモジュールにおいて、または２つの組合せにおいて直接的に具体化され得る。ソフトウェアモジュールは、ランダム アクセス メモリ（Random Access Memory, RAM）、フラッシュメモリ、読出し専用メモリ（Read Only Memory, ROM）、電気的にプログラム可能なＲＯＭ（Electrically Programmable ROM, EPROM）、電気的に消去可能なプログラム可能なＲＯＭ（Electrically Erasable Programmable ROM, EEPROM）、レジスタ、ハードディスク、取り外し可能ディスク、ＣＤ−ＲＯＭ、または当技術において知られている記憶媒体の何か他の形態の中に存在し得る。例示的な記憶媒体はプロセッサに接続され、プロセッサが記憶媒体から情報を読み出し、かつそこへ情報を書き込みことができるようにする。その代りに、記憶媒体は、プロセッサと一体構成であってもよい。プロセッサおよび記憶媒体は、ＡＳＩＣ内に存在し得る。ＡＳＩＣは、ＡＴ内に存在し得る。その代りに、プロセッサおよび記憶媒体は、ＡＴ内にディスクリートな構成要素として存在し得る。
【００５０】
開示された実施形態のこれまでの記述は、当業者が本発明を作成または使用できるようにするために与えられている。当業者には、これらの実施形態に対する種々の変更は容易に明らかになり、本明細書に定められている一般的な原理は、本発明の意図および範囲から逸脱することなく、他の実施形態に適用され得る。したがって、本発明は、本明細書に示されている実施形態に制限されることを意図されず、本明細書に開示されている原理および斬新な特徴に一致する最も幅広い範囲にしたがう。
【図面の簡単な説明】
【００５１】
【図１】無線通信システムを示す図。
【図２ａ】無線通信システムにおける接続状態の無線セッションの転送の実施形態を示す図。
【図２ｂ】無線通信システムにおける接続状態の無線セッションの転送の実施形態を示す図。
【図２ｃ】無線通信システムにおける接続状態の無線セッションの転送の実施形態を示す図。
【図２ｄ】無線通信システムにおける接続状態の無線セッションの転送の実施形態を示す図。
【図３】接続状態の無線セッションの転送中におけるリンクの流れ図の実施形態を示す図。
【図４】接続状態の無線セッションの転送において実施され得る、データ通信のためのプロトコルアーキテクチャの実施形態を示す図。
【図５ａ】無線通信システムにおける接続状態の無線セッションの転送の別の実施形態を示す図。
【図５ｂ】図５ａの実施形態の実施を示す図。
【図５ｃ】図５ａの実施形態の実施を示す図。
【図６】接続状態の無線セッションの転送の１つの実施形態において使用され得るプロセスの流れ図。
【図７】接続状態の無線セッションの転送の別の実施形態において使用され得るプロセスの流れ図。
【図８】幾つかの開示された実施形態が実施され得る装置のブロック図。
【図９】幾つかの開示された実施形態が実施され得る装置のブロック図。
【図１０】無線通信のための装置のブロック図。
【符号の説明】
【００５２】
100・・・無線通信システム、150・・・アクセスネットワーク、200,500・・・無線セッションの転送の実施形態、250,260,350,550,560,570,580・・・順方向リンクルート、255,265,355,555,565,575,585・・・逆方向リンクルート、300・・・リンクの流れ図、400・・・プロトコルアーキテクチャ、572・・・想像線、600,700・・・プロセス、800,900,1000・・・装置、880,980・・・通信バス、1010・・・アンテナ。
【図１】
2008502217.tif 000003
【図２ａ】
2008502217.tif 000004
【図２ｂ】
2008502217.tif 000005
【図２ｃ】
2008502217.tif 000006
【図２ｄ】
2008502217.tif 000007
【図３】
2008502217.tif 000008
【図４】
2008502217.tif 000009
【図５ａ】
2008502217.tif 000010
【図５ｂ】
2008502217.tif 000011
【図５ｃ】
2008502217.tif 000012
【図６】
2008502217.tif 000013
【図７】
2008502217.tif 000014
【図８】
2008502217.tif 000015
【図９】
2008502217.tif 000016
【図１０】
2008502217.tif 000017
【国際調査報告】
2008502217.tif 000018
2008502217.tif 000019
2008502217.tif 000020
2008502217.tif 000021